(57)【要約】【課題】各機種に対応する各制御データが記憶された記憶部１０と、各スイッチのオンオフ状態で運転条件に関する各種設定項目毎に設定される各機種の設定内容を指定するスイッチ入力部２０と、スイッチ入力部２０で指定された各種設定項目の設定内容の組合せに合致する機種に対応する制御データに基づき燃焼制御を指示する指示部５０とを備える燃焼制御システムにおいて、スイッチの故障や誤操作をしても、不完全燃焼を生ずることを防止する。【解決手段】スイッチ入力部２０に、複数のスイッチから成るグループが少なくとも２つ設けられて、同一の設定項目の入力用スイッチとして用いられる一方のグループのスイッチのオンオフ状態と他方のグループのスイッチのオンオフ状態とが一致するか否かを判別する異常判別部４０を備え、オンオフ状態が一致しないと判別されたとき、燃焼制御の停止を指示する。【選択図】図１
2014228254.tif 000002
【特許請求の範囲】
【請求項１】
運転条件の異なる複数の機種がある燃焼装置の燃焼制御を行う燃焼制御システムであって、
各機種に対応する各制御データが記憶された記憶部と、
手動でオンオフされる複数のスイッチを有し、各スイッチのオンオフ状態で運転条件に関する各種設定項目毎に設定される各機種の設定内容を指定するスイッチ入力部と、
スイッチ入力部で指定された各種設定項目の設定内容の組合せに合致する機種に対応する制御データを記憶部から読み出し、この制御データに基づき燃焼制御を指示する指示部とを備え、
燃焼装置の実際の機種とは異なる機種に対応する制御データで制御されると不完全燃焼を生ずるものにおいて、
スイッチ入力部に、複数のスイッチから成るグループが少なくとも２つ設けられて、同一の設定項目の入力用スイッチとして一方のグループに属するスイッチと他方のグループに属するスイッチとが用いられ、
同一の設定項目の入力用スイッチとして用いられる一方のグループのスイッチのオンオフ状態と他方のグループのスイッチのオンオフ状態とが一致するか否かを判別する異常判別部を更に備え、
異常判別部でオンオフ状態が一致しないと判別されたとき、指示部は、燃焼制御の停止を指示することを特徴とする燃焼制御システム。
【請求項２】
運転条件の異なる複数の機種がある燃焼装置の燃焼制御を行う燃焼制御システムであって、
各機種に対応する各制御データが記憶された記憶部と、
手動でオンオフされる複数のスイッチを有し、これらのスイッチの配列順序に従ったオンオフ組合せで機種を指定するスイッチ入力部と、
スイッチ入力部で指定された機種に対応する制御データを記憶部から読み出し、この制御データに基づき燃焼制御を指示する指示部とを備え、
燃焼装置の実際の機種とは異なる機種に対応する制御データで制御されると不完全燃焼を生ずるものにおいて、
スイッチ入力部に、複数のスイッチから成るグループが少なくとも２つ設けられて、機種の入力用スイッチとして一方のグループに属するスイッチと他方のグループに属するスイッチとが用いられ、
一方のグループのスイッチの配列順序に従ったオンオフ組合せと他方のグループのスイッチの配列順序に従ったオンオフ組合せとが一致するか否かを判別する異常判別部を更に備え、
異常判別部で配列順序に従ったオンオフ組合せが一致しないと判別されたとき、指示部は、燃焼制御の停止を指示することを特徴とする燃焼制御システム。
【請求項３】
請求項１記載の燃焼制御システムであって、前記スイッチ入力部の各スイッチが、複数のディップスイッチを並べて配置したディップスイッチ群の各ディップスイッチであり、
前記一方のグループのスイッチと、当該スイッチと同一の設定項目の入力用スイッチとして用いられる前記他方のグループのスイッチとが隣り合わないように配置されることを特徴とする燃焼制御システム。
【請求項４】
請求項２記載の燃焼制御システムであって、前記スイッチ入力部の各スイッチが、複数のディップスイッチを並べて配置したディップスイッチ群の各ディップスイッチであり、
前記一方のグループのスイッチと、当該スイッチと配列順序が同じ前記他方のグループのスイッチとが隣り合わないように配置されることを特徴とする燃焼制御システム。
【発明の詳細な説明】
【技術分野】
【０００１】
本発明は、運転条件の異なる複数の機種がある給湯器等の燃焼装置の燃焼制御を行う燃焼制御システムに関する。
【背景技術】
【０００２】
従来、この種の燃焼制御システムとして、各機種に対応する各制御データが記憶された記憶部と、手動でオンオフされる複数のスイッチを有し、これらのスイッチの配列順序に従ったオンオフ組合せで機種を指定するスイッチ入力部と、スイッチ入力部で指定された機種に対応する制御データを記憶部から読み出し、この制御データに基づき燃焼制御を指示する指示部とを備えるものが知られている（例えば、特許文献１参照）。
【０００３】
ところで、スイッチ入力部のスイッチのオンオフは作業者が行うが、スイッチが故障してしまうと、スイッチの配列順序に従ったオンオフ組合せが作業者の意図したものではなく、燃焼装置の実際の機種とは異なる機種を指定するものとなってしまう。また、作業者の誤操作で、燃焼装置の実際の機種とは異なる機種を指定する配列順序に従ったオンオフ組合せになってしまうこともある。このような事態になっても、上記従来例のものでは、異常と認識することができない。そして、燃焼装置の実際の機種とは異なる機種に対応する制御データで制御されてしまい、不完全燃焼を生ずる虞がある。
【先行技術文献】
【特許文献】
【０００４】
【特許文献１】特開２００３−２３２５１７号公報
【発明の概要】
【発明が解決しようとする課題】
【０００５】
本発明は、以上の点に鑑み、スイッチ入力部のスイッチの故障や誤操作をしても、不完全燃焼を生ずることを防止できるようにした燃焼制御システムを提供することをその課題としている。
【課題を解決するための手段】
【０００６】
上記課題を解決するために、本願の第１発明は、運転条件の異なる複数の機種がある燃焼装置の燃焼制御を行う燃焼制御システムであって、各機種に対応する各制御データが記憶された記憶部と、手動でオンオフされる複数のスイッチを有し、各スイッチのオンオフ状態で運転条件に関する各種設定項目毎に設定される各機種の設定内容を指定するスイッチ入力部と、スイッチ入力部で指定された各種設定項目の設定内容の組合せに合致する機種に対応する制御データを記憶部から読み出し、この制御データに基づき燃焼制御を指示する指示部とを備え、燃焼装置の実際の機種とは異なる機種に対応する制御データで制御されると不完全燃焼を生ずるものにおいて、スイッチ入力部に、複数のスイッチから成るグループが少なくとも２つ設けられて、同一の設定項目の入力用スイッチとして一方のグループに属するスイッチと他方のグループに属するスイッチとが用いられ、同一の設定項目の入力用スイッチとして用いられる一方のグループのスイッチのオンオフ状態と他方のグループのスイッチのオンオフ状態とが一致するか否かを判別する異常判別部を更に備え、異常判別部でオンオフ状態が一致しないと判別されたとき、指示部は、燃焼制御の停止を指示することを特徴とする。
【０００７】
ここで、スイッチ入力部の一方のグループの何れかのスイッチが故障した場合や、スイッチのオンオフの誤操作をした場合、このスイッチと同一の設定項目の入力用スイッチとして用いられる他方のグループのスイッチも故障したり誤操作する可能性は極低く、同一の設定項目の入力用スイッチとして用いられる一方のグループのスイッチのオンオフ状態と他方のグループのスイッチのオンオフ状態とが一致する可能性も極低くなる。そして、第１発明によれば、同一の設定項目の入力用スイッチとして用いられる一方のグループのスイッチのオンオフ状態と他方のグループのスイッチのオンオフ状態とが一致しないときは燃焼制御が停止されるため、何れかのスイッチの故障や誤操作で、燃焼装置の実際の機種とは異なる機種に対応する制御データで制御されて、不完全燃焼を生ずることを防止できる。
【０００８】
また、本願の第２発明は、運転条件の異なる複数の機種がある燃焼装置の燃焼制御を行う燃焼制御システムであって、各機種に対応する各制御データが記憶された記憶部と、手動でオンオフされる複数のスイッチを有し、これらのスイッチの配列順序に従ったオンオフ組合せで機種を指定するスイッチ入力部と、スイッチ入力部で指定された機種に対応する制御データを記憶部から読み出し、この制御データに基づき燃焼制御を指示する指示部とを備え、燃焼装置の実際の機種とは異なる機種に対応する制御データで制御されると不完全燃焼を生ずるものにおいて、スイッチ入力部に、複数のスイッチから成るグループが少なくとも２つ設けられて、機種の入力用スイッチとして一方のグループに属するスイッチと他方のグループに属するスイッチとが用いられ、一方のグループのスイッチの配列順序に従ったオンオフ組合せと他方のグループのスイッチの配列順序に従ったオンオフ組合せとが一致するか否かを判別する異常判別部を更に備え、異常判別部で配列順序に従ったオンオフ組合せが一致しないと判別されたとき、指示部は、燃焼制御の停止を指示することを特徴とする。
【０００９】
上記同様に、スイッチ入力部の一方のグループの何れかのスイッチが故障した場合や、スイッチのオンオフの誤操作をした場合、このスイッチと配列順序が同じ他方のグループのスイッチも故障したり誤操作する可能性は極低く、一方のグループのスイッチの配列順序に従ったオンオフ組合せと他方のグループのスイッチの配列順序に従ったオンオフ組合せとが一致する可能性も極低くなる。そして、第２発明によれば、一方のグループのスイッチの配列順序に従ったオンオフ組合せと他方のグループのスイッチの配列順序に従ったオンオフ組合せとが一致しないときは燃焼制御が停止されるため、何れかのスイッチの故障や誤操作で、燃焼装置の実際の機種とは異なる機種に対応する制御データで制御されて、不完全燃焼を生ずることを防止できる。
【００１０】
ところで、スイッチ入力部の各スイッチが、複数のディップスイッチを並べて配置したディップスイッチ群の各ディップスイッチである場合、何れかのディップスイッチが故障すると、これと隣り合うように配置されたディップスイッチとその端子同士でショートし、隣り合うように配置されたディップスイッチも故障してしまう。
【００１１】
そのため、第１発明において、スイッチ入力部の各スイッチが、複数のディップスイッチを並べて配置したディップスイッチ群の各ディップスイッチである場合、一方のグループのスイッチと、当該スイッチと同一の設定項目の入力用スイッチとして用いられる他方のグループのスイッチとが隣り合わないように配置されることが望ましい。これによれば、同一の設定項目の入力用スイッチのうち、一方のグループのディップスイッチが故障した場合に、他方のグループのディップスイッチも故障してしまうことを回避できる。従って、同一の設定項目の入力用スイッチとして用いられる一方のグループのスイッチのオンオフ状態と他方のグループのスイッチのオンオフ状態とが一致しなくなり、燃焼制御が停止され、安全である。
【００１２】
また、第２発明において、スイッチ入力部の各スイッチが、複数のディップスイッチを並べて配置したディップスイッチ群の各ディップスイッチである場合、一方のグループのスイッチと、当該スイッチと配列順序が同じ他方のグループのスイッチとが隣り合わないように配置されることが望ましい。これによれば、配列順序が同じスイッチのうち、一方のグループのディップスイッチが故障した場合に、他方のグループのディップスイッチも故障してしまうことを回避できる。従って、一方のグループのスイッチの配列順序に従ったオンオフ組合せと他方のグループのスイッチの配列順序に従ったオンオフ組合せとが一致しなくなり、燃焼制御が停止され、安全である。
【図面の簡単な説明】
【００１３】
【図１】本発明の実施形態の燃焼システムの構成を示す図。
【図２】機種、設定内容及びスイッチのオンオフの関係を示す表。
【図３】第２実施形態の機種、設定内容及びスイッチのオンオフの関係を示す表。
【発明を実施するための形態】
【００１４】
図１を参照して、燃焼装置Ｆの燃焼制御を行う本発明の実施形態の燃焼制御システムは、記憶部１０とスイッチ入力部２０と変換部３０と異常判別部４０と指示部５０とを備える。
【００１５】
図２を参照して、燃焼装置Ｆの運転条件に関する設定項目として、燃料ガス種及び排気筒長さ（排気種類）の２項目がある。燃料ガス種を設定する各機種の設定内容として、ＬＰＧ、天然ガス１、天然ガス２及び低ウォッベガス１の４つがあり、排気筒長さを設定する各機種の設定内容として、長排気及び短排気の２つがある。そして、燃焼装置Ｆには、燃料ガス種の４つの設定内容と排気筒長さの２つの設定内容の組合せで、運転条件の異なるＮｏ．１〜８の８機種がある
【００１６】
記憶部１０は、各機種に対応する各制御データを記憶している。制御データには、燃料ガス種によって単位ガス量あたりの発生熱量が異なるため、バーナで発生すべき要求熱量とガス量を調節する比例弁の電流との比例関係を規定するデータや、燃焼用空気を供給するファンの回転数と供給空気量との関係が排気筒長さによる排気抵抗の大小で変化するため、比例弁電流とファン回転数との比例関係を規定するデータ等がある。そして、燃焼装置Ｆの実際の機種とは異なる機種に対応する制御データで制御されると不完全燃焼を生ずる。
【００１７】
スイッチ入力部２０は、ディップスイッチ２１１〜２１８を並べて配置したディップスイッチ群で構成され、ディップスイッチ２１１〜２１８が手動でオンオフされて、そのオンオフ状態で運転条件に関する各種設定項目毎に設定される各機種の設定内容を指定する。スイッチ入力部２０には、ディップスイッチ２１１〜２１４から成るグループＡと、ディップスイッチ２１５〜２１８から成るグループＢとが設けられている。
【００１８】
燃料ガス種の入力用スイッチとして、グループＡのディップスイッチ２１１，２１２とグループＢのディップスイッチ２１５，２１６とが用いられ、ディップスイッチ２１１，２１２とディップスイッチ２１５，２１６とは、隣り合わないように配置されている。また、排気筒長さの入力用スイッチとして、グループＡのディップスイッチ２１３とグループＢのディップスイッチ２１７とが用いられ、ディップスイッチ２１３とディップスイッチ２１７とは、隣り合わないように配置されている。尚、本実施形態において、グループＡのディップスイッチ２１４とグループＢのディップスイッチ２１８とは、何れの設定項目の入力用スイッチとして用いられていないが、例えば、排気筒長さの設定内容に中排気を追加し、３つとした場合、排気筒長さの入力用スイッチとして用いることができる。
【００１９】
変換部３０は、ディップスイッチ２１１〜２１８の信号を、オンされているときは１に、オフされているときは０にＡＤ変換する。
【００２０】
異常判別部４０は、燃料ガス種の入力用スイッチとして用いられるグループＡのディップスイッチ２１１，２１２のオンオフ（ＡＤ変換された信号）状態とグループＢのディップスイッチ２１５，２１６のオンオフ状態とが一致するか否かを判別すると共に、排気筒長さの入力用スイッチとして用いられるグループＡのディップスイッチ２１３のオンオフ状態とグループＢのディップスイッチ２１７のオンオフ状態とが一致するか否かを判別する。
【００２１】
異常判定部４０でオンオフ状態が一致すると判別されたとき、図２に示すように、ディップスイッチ２１１，２１５の信号が０、ディップスイッチ２１２，２１６の信号が０ならば、ＬＰＧが燃料ガス種の設定内容として読み取られる。ディップスイッチ２１１，２１５の信号が０、ディップスイッチ２１２，２１６の信号が１のときは天然ガス１が、ディップスイッチ２１１，２１５の信号が１、ディップスイッチ２１２，２１６の信号が０のときは天然ガス２が、ディップスイッチ２１１，２１５の信号が１、ディップスイッチ２１２，２１６の信号が１のときは低ウォッベガス１が、燃料ガス種の設定内容として読み取られる。
【００２２】
また、ディップスイッチ２１３，２１７の信号が１のときは長排気が、ディップスイッチ２１３，２１７の信号が０のときは短排気が、排気筒長さの設定内容として読み取られる。
【００２３】
そして、指示部５０は、読み取られた燃料ガス種の設定内容と同じく読み取られた排気筒長さの設定内容との組合せに合致する機種に対応する制御データを記憶部１０から読み出し、この制御データに基づき燃焼制御を指示する。具体的には、ＬＰＧ及び長排気が読み取られていれば、Ｎｏ．１の機種に対応する制御データを読み出し、天然ガス１及び長排気が読み取られていれば、Ｎｏ．２の機種に対応する制御データを読み出し、天然ガス２及び長排気が読み取られていれば、Ｎｏ．３の機種に対応する制御データを読み出し、低ウォッベガス１及び長排気が読み取られていれば、Ｎｏ．４の機種に対応する制御データを読み出し、ＬＰＧ及び短排気が読み取られていれば、Ｎｏ．５の機種に対応する制御データを読み出し、天然ガス１及び短排気が読み取られていれば、Ｎｏ．６の機種に対応する制御データを読み出し、天然ガス２及び短排気が読み取られていれば、Ｎｏ．７の機種に対応する制御データを読み出し、低ウォッベガス１及び短排気が読み取られていれば、Ｎｏ．８の機種に対応する制御データを読み出し、夫々の制御データに基づき燃焼制御を指示する。
【００２４】
一方、異常判別部４０でオンオフ状態が一致しないと判別されたとき、指示部５０は、燃焼制御の停止を指示する。これと共に、同一の設定項目の入力用スイッチとして用いられるグループＡのディップスイッチ２１１〜２１４のオンオフ状態とグループＢのディップスイッチ２１５〜２１８のオンオフ状態とが一致しないことを表示装置Ｓにより報知することを指示する。尚、表示装置Ｓは、燃焼装置Ｆに設けられていても、燃焼装置Ｆとは別置きのリモコン等に設けられていてもよい。
【００２５】
ここで、スイッチ入力部２０の一方のグループの何れかのディップスイッチが故障した場合や、ディップスイッチのオンオフの誤操作をした場合、このディップスイッチと同一の設定項目の入力用スイッチとして用いられる他方のグループのディップスイッチも故障したり誤操作する可能性は極低く、同一の設定項目の入力用スイッチとして用いられる一方のグループのディップスイッチのオンオフ状態と他方のグループのディップスイッチのオンオフ状態とが一致する可能性も極低くなる。そして、本実施形態によれば、同一の設定項目の入力用スイッチとして用いられるグループＡのディップスイッチ２１１〜２１４のオンオフ状態とグループＢのディップスイッチ２１５〜２１８のオンオフ状態とが一致しないときは燃焼制御が停止されるため、何れかのディップスイッチの故障や誤操作で、燃焼装置Ｆの実際の機種とは異なる機種に対応する制御データで制御されて、不完全燃焼を生ずることを防止できる。
【００２６】
ところで、本実施形態のように、スイッチ入力部２０の各スイッチが、複数のディップスイッチ２１１〜２１８を並べて配置したディップスイッチ群の各ディップスイッチである場合、何れかのディップスイッチが故障すると、これと隣り合うように配置されたディップスイッチとその端子同士でショートし、隣り合うように配置されたディップスイッチも故障してしまう。
【００２７】
本実施形態では、グループＡのディップスイッチ２１１，２１２とグループＢのディップスイッチ２１５，２１６とは、燃料ガス種の入力用スイッチであり、隣り合わないように配置されている。また、グループＡのディップスイッチ２１３とグループＢのディップスイッチ２１７とは、排気筒長さの入力用スイッチであり、隣り合わないように配置されている。このため、同一の設定項目の入力用スイッチのうち、一方のグループのディップスイッチが故障した場合に、他方のグループのディップスイッチも故障してしまうことを回避できる。従って、同一の設定項目の入力用スイッチとして用いられる一方のグループのディップスイッチのオンオフ状態と他方のグループのディップスイッチのオンオフ状態とが一致しなくなり、燃焼制御が停止され、安全である。
【００２８】
以上、本発明の第１実施形態について説明したが、本発明はこれに限定されない。例えば、第１実施形態では、グループＢに属する燃料ガス種の入力用スイッチとして、ディップスイッチ２１５，２１６が用いられているが、ディップスイッチ２１６，２１７を用いてもよい。この場合、グループＢに属する排気筒長さの入力用スイッチとして、ディップスイッチ２１５を用いればよい。
【００２９】
また、第１実施形態では、燃料ガス種の入力用スイッチとして、ディップスイッチ２１１，２１２と、ディップスイッチ２１１，２１２と隣り合わないように配置されているディップスイッチ２１５，２１６とが用いられているが、ディップスイッチ２１１，２１２と隣り合わないように配置されているディップスイッチ２１４，２１５を用いてもよい。この場合、ディップスイッチ２１３，２１７をダミー用スイッチとし、排気筒長さの入力用スイッチとして、互いに隣り合わないように配置されているディップスイッチ２１６とディップスイッチ２１８とを用いることができる。このようにして、スイッチ入力部２０には、ディップスイッチ２１１，２１２，２１６から成るグループと、ディップスイッチ２１４，２１５，２１８からなるグループとが設けられていてもよい。
【００３０】
また、第１実施形態では、スイッチ入力部２０は、各ディップスイッチ２１１〜２１８のオンオフ状態で運転条件に関する各種設定項目毎に設定される各機種の設定内容を指定するが、図３に示す第２実施形態のように、グループＡ´のディップスイッチ２２１〜２２４とグループＢ´のディップスイッチ２２５〜２２８とを夫々機種の入力用スイッチとして用い、各グループのディップスイッチの配列順序に従ったオンオフ組合せで機種を指定してもよい。この場合、スイッチ入力部２０で指定された機種に対応する制御データを記憶部１０から読み出せばよい。
【００３１】
ここで、スイッチ入力部２０の一方のグループの何れかのディップスイッチが故障した場合や、ディップスイッチのオンオフの誤操作をした場合、このディップスイッチと配列順序が同じ他方のグループのディップスイッチも故障したり誤操作する可能性は極低く、一方のグループのディップスイッチの配列順序に従ったオンオフ組合せと他方のグループのディップスイッチの配列順序に従ったオンオフ組合せとが一致する可能性も極低くなる。そして、第２実施形態によれば、一方のグループのディップスイッチの配列順序に従ったオンオフ組合せと他方のグループのディップスイッチの配列順序に従ったオンオフ組合せとが一致しないときは燃焼制御が停止されるため、何れかのディップスイッチの故障や誤操作で、燃焼装置Ｆの実際の機種とは異なる機種に対応する制御データで制御されて、不完全燃焼を生ずることを防止できる。
【００３２】
更に、第２実施形態では、グループＡ´のディップスイッチ２２１〜２２４と、ディップスイッチ２２１〜２２４と配列順序が同じグループＢ´のディップスイッチ２２５〜２２８とが夫々隣り合わないように配置されているため、配列順序が同じスイッチのうち、一方のグループのディップスイッチが故障した場合に、他方のグループのディップスイッチも故障してしまうことを回避できる。従って、一方のグループのディップスイッチの配列順序に従ったオンオフ組合せと他方のグループのディップスイッチの配列順序に従ったオンオフ組合せとが一致しなくなり、燃焼制御が停止され、安全である。また、配列順序が同じスイッチが互いに隣り合わないように配置するために、スイッチ入力部２０には、ディップスイッチ２２１，２２２，２２５，２２６から成るグループと、ディップスイッチ２２３，２２４，２２７，２２８から成るグループとが設けられてもよい。
【００３３】
尚、第２実施形態では、各機種の設定内容とは無関係に定められた各機種を指定する組合せでスイッチ入力部２０のディップスイッチ２２１〜２２８をオンオフすることになる。これに対し、上記第１実施形態では、運転条件に関する各種設定項目毎に設定される各機種の設定内容に合わせてスイッチ入力部２０の各ディップスイッチ２１１〜２１８をオンオフすることになるため、実際の機種の設定内容とスイッチ入力部２０のディップスイッチ２１１〜２１８のオンオフ状態で指定される設定内容とを照合しやすく、誤操作防止に役立つ。
【００３４】
また、第１実施形態では、記憶部１０は、各機種に対応する各制御データを記憶しているが、燃料ガス種の設定内容に対応する制御データと排気筒長さの設定内容に対応する制御データとを個別に記憶していてもよい。この場合、読み取られた燃料ガス種の設定内容に対応する制御データと同じく読み取られた排気筒長さの設定内容に対応する制御データとを記憶部１０から読み出し、両制御データを組合せたデータに基づき燃焼制御を指示すればよい。
【００３５】
また、燃焼装置Ｆの運転条件に関する設定項目及び設定内容やこれらの数は、第１実施形態で記載したものに限定されず、設定内容の数に応じた数のスイッチを、同一の設定項目の入力用スイッチとして用いればよい。
【００３６】
更に、第１実施形態では、変換部３０は、ディップスイッチ２１１〜２１８の信号を、オンされているときは１に、オフされているときは０にＡＤ変換するが、オンされているとき０に、オフされているとき１にＡＤ変換してもよい。
【符号の説明】
【００３７】
Ｆ…燃焼装置、１０…記憶部、２０…スイッチ入力部、４０…異常判別部、５０…指示部。
【図１】
2014228254.tif 000003
【図２】
2014228254.tif 000004
【図３】
2014228254.tif 000005